(57)【特許請求の範囲】
【請求項１】
誤り訂正符号化処理を施したデジタル信号を伝送する伝送装置において、受信側での復号化処理に際し、受信信号における３系統以上のブロック符号化信号を入力とし、前記３系統以上のブロック符号化信号の内、少なくとも誤り訂正不能な誤り訂正単位は、それぞれのタイミング位相を、ワード単位にて一致させ多数決によりワードを決定して再生成し、少なくとも誤り訂正不能な誤り訂正単位の中で前記３系統以上で異なるワードは、幾つか前までの誤り訂正単位から誤り最小と予測される誤り訂正単位のワードを選択し再生成した誤り訂正単位に対して、誤り訂正を行うことを特徴とする信号処理方法。
【請求項２】
請求項１の信号処理方法において、前記幾つか前までの誤り訂正単位から誤り最小の誤り訂正単位を予測し選択する方法として、前記幾つか前までの誤り訂正単位において、誤りの累計の最小の誤り訂正単位または誤りの増加の最小の誤り訂正単位または誤りの累計と誤りの増加の合計の最小の誤り訂正単位または誤りの累計と誤りの増加と誤りの増加微分の合計の最小の誤り訂正単位のいずれかのワードを選択することを特徴とする信号処理方法。
【請求項３】
映像信号をデジタル圧縮符号化し、誤り訂正符号化等の伝送路符号化処理を施し、デジタル変調した後に伝送信号化する送信部と、該伝送信号を受信し、デジタル復調処理、誤り訂正等の伝送路復号化処理、デジタル圧縮情報の伸張処理をする受信部とからなる伝送装置において、前記受信部の伝送路復号化部での復号化処理に際し、請求項１乃至請求項２の誤り訂正処理を行う手段を設けたことを特徴とする伝送装置。
【発明の詳細な説明】
【技術分野】
【０００１】
本発明は、デジタル伝送装置から出力されるデジタルデータの信頼性向上に関する技術である。
【背景技術】
【０００２】
昨今、映像や音声信号をデジタル信号化した後、ＭＰＥＧ処理によりデータ圧縮し、デジタルデータを伝送可能な変調器や復調器で変復調し、伝送する技術が多用されている。従来技術と本発明に共通な映像デジタル伝送システム全体の構成を示すブロック図の図５を用いて、以下に説明する。
【０００３】
送信側において、映像信号はＭＰＥＧエンコーダ１１に入力され、圧縮データとなる。この圧縮データの構成は、８ビット即ち１バイトを１ワードとした１８８ワードと１６ワードのパリティの合計２０４ワードを単位を単位とする多数個の誤り訂正単位（以後パケット）から構成されるトランスポートストリーム(以後ＴＳ)信号と呼ぶ形態となる。このＴＳ信号は、ＤＶＢエンコーダ(Digital Video Broadcasting−Encoder)１２に入力され、ＤＶＢ(Digital Video Broadcasting)処理を施されＤＶＢｅ信号となる。このＤＶＢｅ信号は、変調部１３により、例えばＯＦＤＭ変調され、送信部１４に送られ送信アンテナ１５から電波として放射される。
【０００４】
放射された電波は、伝送路Ｗ１を経由して、受信アンテナ１６に到達する。なお、伝送路Ｗ１の状態においては、電波の強さも距離に応じて減衰するため雑音等も混入してしまう。受信アンテナ１６により収集された電波は、受信部１７に入力され、復調部１８に入力され、変調と同一の処理に対応するＯＦＤＭ復調が行われ、ＤＶＢｒ信号として出力される。このＤＶＢｒ信号は、ＤＶＢデコーダ１９に入力され、ＴＳｒ信号となって、元のトランスポート信号に戻される。ＭＰＥＧデコーダ２０は、このＴＳｒ信号を伸張処理し、元の映像信号を出力する。
【０００５】
ここで、受信側におけるＤＶＢデコーダ１９で行うＲＳ(Read  Solomon)訂正の概念について簡単に述べる。ＲＳ訂正は、１６ワードのパリティを与えた場合、パリティの数１６だけ方程式を作れるので、１６個の未知数が求められる。つまり、８つの誤りの位置８個とその値８個を算出できるため、場所不明の８個の誤りを訂正できる。すなわち、付加したパリティ数の半分の誤りに対し、その位置と誤った値を算出できる。ただし、検算に用いる式が無くなるため、多くの誤りが混入した場合、誤訂正を検出できない頻度が増加する。訂正の数を減らせば、一部の式を検算に用いることができ、誤訂正が発生する頻度は低下させられる。ＲＳ訂正は、訂正能力をフル活用しなければ、誤りを誤認する頻度を低減できる。しかし、２０４ワード中に９ワード以上の誤りがあると、誤り訂正は全く行わず、エラーフラグを発生する。ここで、エラーフラグとは誤り訂正が成功したか否かを示す情報のことであり、以下フラグと省略する。
【０００６】
そこで従来は受信部で、サイトダイバシチにおいて、各系統を誤り訂正し、誤りの無い系統のパケットを選択していた。さらに、９ワード以上の誤りがあり誤り訂正を行わずエラーフラグを発生する場合に備えて、多数決によりワードを決定して再生成した誤り訂正単位に対して、誤り訂正を行うことも提案されている。（特許文献２）
図６に、従来技術の多数決誤り訂正処理の構成を示すブロック図を示す。復調部１、２，３出力のＤＶＢｒ信号を誤り訂正部４，５，６で処理しても、フラグＮＧで訂正不能な場合、多数決部８でＤＶＢｒ信号の多数決によりワードを決定して再生成した誤り訂正単位に対して、誤り訂正部７で処理した誤り訂正結果を選択部９で出力する。
【０００７】
従来技術の多数決誤り訂正処理動作を示すタイムチャートの模式図の図７において、図７の上段の部分の様に、誤り訂正の信号が、３系統ともフラグＮＧで訂正不能な場合、図７の中段の部分の様に、ワード単位で多数決により選択するワードを決定し出力する。ここで、３系統の誤りは系統ごとにはバラバラであり、多数決により選択したワードが、必ずしも正常であるとは限らない。しかし、図７の中段に示す様に、多数決により選択したワードが誤りである確率より、正常である確率の方が高いため、誤り総数が８ヶ以内となり、誤り訂正可能となる可能性が大きい。
【特許文献１】特開２００３−２８３４６８号公報
【特許文献２】特願２００５−２７５８５７号公報
【発明の開示】
【発明が解決しようとする課題】
【０００８】
上記の誤り訂正は、それでも、従来技術の多数決誤り訂正処理の破綻動作を示すタイムチャートの模式図の図８の様に、誤りワードが多い場合には、図８の中段に示す様に３系統以上でワードが異なり多数決が成立しないで、誤り総ワードが９ヶ以上となり、誤り訂正できないケースも存在する。その場合は従来の構成においては、誤りワードが多い場合、訂正処理の誤った処理によって、誤りがさらに増加し、ＭＰＥＧ復号処理をさらに悪化させる欠点を持つ。この悪化は、時として、届くはずのないデータを待つなどの、大きな間違いをＭＰＥＧデコーダに与え、異常画像の生じる秒数を長くする欠点も生じる。
【０００９】
本発明はこれらの欠点を除去し、誤りワードが多い場合に存在する３系統以上でワードが異なり多数決が成立しないケースでも、誤り訂正の成功率を高めることを目的とする。
【課題を解決するための手段】
【００１０】
本発明は、上記課題を解決するため、誤り訂正符号化処理を施したデジタル信号を伝送する伝送装置において、受信側での復号化処理に際し、受信信号における３系統以上のブロック符号化信号を入力とし、前記３系統以上のブロック符号化信号の内、少なくとも誤り訂正不能な誤り訂正単位は、それぞれのタイミング位相を、ワード単位にて一致させ多数決によりワードを決定して再生成し、少なくとも誤り訂正不能な誤り訂正単位の中で前記３系統以上で異なるワードは、幾つか前までの誤り訂正単位から誤り最小と予測される誤り訂正単位のワードを選択し再生成した誤り訂正単位に対して、誤り訂正を行う。
【００１１】
また、前記幾つか前までの誤り訂正単位から誤り最小の誤り訂正単位を予測し選択する方法として、前記幾つか前までの誤り訂正単位において、誤りの累計の最小の誤り訂正単位または誤りの増加の最小の誤り訂正単位または誤りの累計と誤りの増加の合計の最小の誤り訂正単位または誤りの累計と誤りの増加と誤りの増加微分の合計の最小の誤り訂正単位のいずれかのワードを選択する。
【００１２】
そして、映像信号をデジタル圧縮符号化し、誤り訂正符号化等の伝送路符号化処理を施し、デジタル変調した後に伝送信号化する送信部と、該伝送信号を受信し、デジタル復調処理、誤り訂正等の伝送路復号化処理、デジタル圧縮情報の伸張処理をする受信部とからなる伝送装置において、前記受信部の伝送路復号化部での復号化処理に際し、上記の誤り訂正処理を行う手段を設けたことを特徴とする伝送装置を供給する。
【発明の効果】
【００１３】
以上説明したように本発明によれば、従来の方法では誤りワードが多く訂正不可能なＴＳ信号においても、訂正できるケースが生じ、誤り訂正の成功率を高め、画像復調の処理を停止する頻度を低下することができる。
【発明を実施するための最良の形態】
【００１４】
図５に、従来技術と本発明に共通な伝送システム全体の構成を示すブロック図であり、以下に説明する。本発明の実施例が従来技術と異なる点は、図５のＤＶＢデコーダ１９の内部の誤り訂正が改良されたことである。 
【００１５】
図５の送信側において、映像信号はＭＰＥＧエンコーダ１１に入力され、圧縮データとなる。この圧縮データの構成は、８ビットすなわち１バイトを１ワードとした１８８ワードを単位とする多数個のパケットから構成されるＴＳ信号と呼ぶ形態となる。このＴＳ信号は、ＤＶＢエンコーダ１２に入力され、ＤＶＢ処理を施されＤＶＢｅ信号となる。このＤＶＢｅ信号は、変調部１３により、例えばＯＦＤＭ変調され、送信部１４に送られ送信アンテナ１５から電波として放射される。
【００１６】
放射された電波は、伝送路Ｗ１を経由して、受信アンテナ１６に到達する。なお、伝送路Ｗ１の状態においては、電波の強さも距離に応じて減衰するため雑音等も混入してしまう。受信アンテナ１６により収集された電波は、受信部１７に入力され、復調部１８に入力され、変調と同一の処理に対応するＯＦＤＭ復調が行われ、ＤＶＢｒ信号として出力される。このＤＶＢｒ信号は、ＤＶＢデコーダ１９に入力され、誤り訂正を施され、ＴＳｒ信号となって、元のトランスポート信号に戻される。ＭＰＥＧデコーダ２０は、このＴＳｒ信号を伸張処理し、元の映像信号を出力する。
【００１７】
以下、本発明の実施例の誤り訂正処理について、図１から図４を用いて説明する。図１は本発明の誤り訂正処理動作を示すタイムチャートの模式図であり、図２は本発明の第一の誤り訂正処理の実施例による構成を示すブロック図であり、図３は本発明の第二の誤り訂正処理の実施例による構成を示すブロック図であり、図４は本発明の第三の誤り訂正処理の実施例による構成を示すブロック図である。
【００１８】
まず、本発明の誤り訂正処理動作を示すタイムチャートの模式図の図１において、図１の上段の部分の様に、誤り訂正の信号が、３系統ともフラグＮＧで訂正不能な場合、図１の中段の部分の様に、ワード単位で多数決により選択するワードを決定し出力する。ここで、３系統の誤りは系統ごとにはバラバラであり、多数決により選択したワードが誤りである確率より、正常である確率の方が一般には高い。しかし、図１の中段に示す様に、誤りが多い場合の内３系統でワードが異なり多数決が成立しないケースでは、今までのＴＳから誤り最小と予測される系のワードを選択し再生成した信号ブロック符号に対して、誤り訂正を行う。具体的な誤り最小系の予測方法として、今までの数ＴＳにおいて、ア：誤りの累計の最小系、イ：誤りの増加の最小系、ウ：誤りの累計と誤りの増加の合計の最小系、エ：誤りの累計と誤りの増加と誤りの増加微分の合計の最小系のいずれかのワードを選択する。上記アの予測方法が計算量が最小で安定、エの予測方法が計算量が最大で精度が最良である。
【００１９】
図２に、本発明の第一の誤り訂正処理の実施例による構成を示すブロック図を示す。復調部１、２，３出力のＤＶＢｒ信号を誤り訂正部４，５，６で処理しても、フラグＮＧで訂正不能な場合、多数決部８でＤＶＢｒ信号の多数決してから、誤り訂正部７で処理した誤り訂正結果を選択部９で出力する。誤りが多く３系統でワードが異なり多数決が成立しない場合は、誤り最小予測部１０でワードを選択し再生成した誤り訂正単位に対して、誤り訂正部７で処理した誤り訂正結果を選択部９で出力する。
【００２０】
次に、本発明の第二の誤り訂正処理の実施例による構成を示すブロック図を図３に示す。復調部１、２，３出力のＤＶＢｒ信号を、多数決部８で多数決してから、誤り訂正部７で処理した誤り訂正結果を出力する。誤りが多く３系統でワードが異なり多数決が成立しない場合は、誤り最小予測部１０でワードを選択し再生成した誤り訂正単位に対して、誤り訂正部７で処理した誤り訂正結果を選択データとして出力する。
【００２１】
さらに、本発明の第三の誤り訂正処理の実施例による構成を示すブロック図を図４に示す。復調部１、２，３出力のＤＶＢｒ信号を、誤り最小予測部１０でワードを選択し再生成した誤り訂正単位に対して、誤り訂正部７で処理した誤り訂正結果を選択部９で出力する。
【図面の簡単な説明】
【００２２】
【図１】本発明の誤り訂正処理動作を示すタイムチャートの模式図
【図２】本発明の第一の誤り訂正処理の実施例による構成を示すブロック図
【図３】本発明の第二の誤り訂正処理の実施例による構成を示すブロック図
【図４】本発明の第三の誤り訂正処理の実施例による構成を示すブロック図
【図５】従来技術と本発明に共通な伝送システム全体の構成を示すブロック図
【図６】従来技術の多数決誤り訂正処理による構成を示すブロック図
【図７】従来技術の多数決誤り訂正処理動作を示すタイムチャートの模式図
【図８】従来技術の多数決誤り訂正処理の破綻動作を示すタイムチャートの模式図
【符号の説明】
【００２３】
１、２、３：受信部、４、５，６、７：誤り訂正部、８：多数決部、
９：選択部、１０：誤り最小予測部、１１：ＭＰＥＧエンコーダ、
１２：ＤＶＢエンコーダ、１３：変調部、１４：送信部、１５：送信アンテナ、Ｗ１：伝送路、１６：受信アンテナ、１７：受信部、１８：復調部、
１９：ＤＶＢデコーダ、２０：ＭＰＥＧデコーダ
【図１】
0004637759.tif 000002
【図２】
0004637759.tif 000003
【図３】
0004637759.tif 000004
【図４】
0004637759.tif 000005
【図５】
0004637759.tif 000006
【図６】
0004637759.tif 000007
【図７】
0004637759.tif 000008
【図８】
0004637759.tif 000009